(57)【要約】【課題】  蓋を有する筐体で、蓋を開ける意図無く蓋を触ったとしても、容易に蓋が開く可能性が低くなる蓋開け構造を提供する。【解決手段】  蓋２１を開ける場合に、蓋２１が設置された筐体１の面に対して水平方向にスライドすることで第一の係合用突起３１と第一の係合用リブ１３の係合が外れ、さらにスライドを続けることで第一の係合用突起３１より長く形成した第二の係合用突起４１と第二の係合用リブ１４の係合が外れることで、蓋２１と筐体１の係合がなくなり蓋２１を回転軸用突起２２を軸にして開閉することができる。【選択図】  図１
0003183498.tif 000002
【実用新案登録請求の範囲】
【請求項１】
操作部または小物収納部を覆う蓋を有する筐体における蓋開け構造であって、
前記蓋は、自蓋を前記筐体に保持し開閉する際の回転軸となる回転軸用突起と、前記筐体が有する係合用リブと係合する第一の係合用突起と、前記第一の係合用突起より長く形成した第二の係合用突起と、を有し、
前記筐体は、前記第二の係合用突起より長く形成された前記回転軸用突起を回転させると共に前記回転軸用突起を摺動させるための窪みと、前記第一の係合用突起と係合する第一の係合用リブと、前記第二の係合用突起と係合する第二の係合用リブと、を有し、
前記蓋を開ける場合に、前記蓋が設置された前記筐体の面に対して水平方向にスライドすることで前記第一の係合用突起と前記第一の係合用リブの係合が外れ、さらにスライドを続けることで前記第二の係合用突起と前記第二の係合用リブの係合が外れ、前記蓋と前記筐体の係合がなくなり前記蓋を前記回転軸用突起を回転軸にして開閉することを特徴とする多段スライド型フタ開け構造。
【考案の詳細な説明】
【技術分野】
【０００１】
本考案は、操作部または小物収納部を覆う蓋を有する筐体の蓋開け構造に関する。
【背景技術】
【０００２】
従来の操作部または小物収納部を覆う蓋を有する筐体において、蓋を開ける場合は、回転ドアー式に蓋を回転して開ける構造、又はスライドドアー式に蓋をスライドして開ける構造が一般的であった（例えば特許文献１）。
【先行技術文献】
【特許文献】
【０００３】
【特許文献１】特開２０１０−４０３９５号公報
【考案の概要】
【考案が解決しようとする課題】
【０００４】
しかしながら、蓋を回転する構造および蓋をスライドする構造のいずれの場合であっても、筐体の表面を清掃する等で蓋に触れた際に、意図せずに蓋を開けてしまうことがある。特にその蓋が操作部を覆う蓋であった場合には、操作部がむき出しになり、意図せずに何らかのスイッチを押下してしまい、意図しない事態に陥る恐れがある。
【０００５】
そこで、本考案の課題は、意図せずに蓋に触れた程度では、蓋が開かない蓋開け構造を提供することにある。
【課題を解決するための手段】
【０００６】
上記の課題を解決するために、本考案は、操作部または小物収納部を覆う蓋を有する筐体における蓋開け構造であって、前記蓋は、自蓋を前記筐体に保持し開閉する際の回転軸となる回転軸用突起と、前記筐体が有する係合用リブと係合する第一の係合用突起と、前記第一の係合用突起より長く形成した第二の係合用突起と、を有し、前記筐体は、前記第二の係合用突起より長く形成された前記回転軸用突起を回転させると共に前記回転軸用突起を摺動させるための窪みと、前記第一の係合用突起と係合する第一の係合用リブと、前記第二の係合用突起と係合する第二の係合用リブと、を有し、前記蓋を開ける場合に、前記蓋が設置された前記筐体の面に対して水平方向にスライドすることで前記第一の係合用突起と前記第一の係合用リブの係合が外れ、さらにスライドを続けることで前記第二の係合用突起と前記第二の係合用リブの係合が外れ、前記蓋と前記筐体の係合がなくなり前記蓋を前記回転軸用突起を回転軸にして開閉することを特徴とする。
【考案の効果】
【０００７】
本考案によれば、蓋を開ける為の操作がスライド操作及び回転操作から成る２つの異なる操作を要することと、かつスライド操作については、１度スライドして係合を外しただけでは蓋が開かず、２段階のスライドを必要とする為に、誤って蓋に触れた程度では蓋が開かない蓋開け構造を提供できる。
【図面の簡単な説明】
【０００８】
【図１】本考案による一実施例の蓋開け構造を有する筐体で、蓋を開けた状態の斜視図である。
【図２】本考案による一実施例の蓋開け構造を有する筐体で、蓋を閉じた状態の斜視図である。
【図３】本考案による一実施例の蓋開け構造を有する筐体で、蓋を開けるためにスライドした、図２のあとの状態の斜視図である。
【図４】本考案による一実施例の蓋開け構造を有する筐体で、蓋を開けるためにスライドした、図３のあとの状態で、蓋と筐体の係合が外れた状態の斜視図である。
【考案を実施するための形態】
【０００９】
以下、図面を参照して本考案の実施の形態について詳細を説明する。図１は本考案による一実施例の構成を示す、蓋を開けた状態の斜視図である。
【００１０】
１は筐体、１１は筐体が有する操作部、１２は操作部１１内に有するスイッチ、１３は第一の係合用リブ、１４は第二の係合用リブ、１５は蓋２１の回転軸を受ける窪み、２１は操作部を覆う回転自在な蓋、２２は蓋２１が有する回転軸用突起、３１は蓋２１が有する第一の係合用突起、４１は蓋２１が有する第二の係合用突起、である。
【００１１】
装置１において、スイッチ１２を操作する必要があるときだけ蓋２１を開けてスイッチ１２を操作する。ただし、普段はスイッチ１２を誤って押さないようにするため、蓋２１を閉じておくことを意図している。
【００１２】
なお、ここではスイッチを覆う蓋を例として挙げたが、蓋で覆うものはスイッチに限らず、装置のソフトを書き換えるなどの目的でケーブルを一時的に接続するコネクタ接続部や、保守作業者向けの操作手順表示などの小物収容部で、通常使用時には露出させておく必要がなく、意図した時だけ露出させたい部位に適用すると効果的である。
【００１３】
また、蓋２１が回転自在になっているのは、蓋２１が回転軸となる回転軸用突起２２を有していて、かつ操作部１１が回転軸用突起２２を受ける窪み１３を有しているためであり、蓋２１を操作者が持ち回転させることで蓋の開閉を行うものである。なお、第一の係合用リブ１３、第二の係合用リブ１４、回転軸を受ける窪み１５、第一の係合用突起３１、第二の係合用突起４１については、図２以降で説明する。
【００１４】
図２（ａ）は、本考案による一実施例の構成を示す図で、蓋２１を閉じた状態である。３１は第一の係合用突起、４１は第二の係合用突起を示す。
【００１５】
図２（ｂ）は、図２（ａ）の断面Ｂ−Ｂを示す。３２は第一の係合用突起３１の先端、３３は第一の係合用突起３１の根元を示す。第一の係合用突起の先端３２よりも、第一の係合用突起の根元３３の方が板厚が厚くなっており、第一の係合用突起の先端３２と第一の係合用突起の根元３３によって形成する傾斜面が係合用リブ１３と係合している。この係合によって、蓋２１は閉じた状態を保っている。なお、第一の係合用突起の先端３２は、実際の設計において係合を外しやすくする為に先端が薄くなっているものであるため、平坦であっても良いものとする。
【００１６】
図２（ｃ）は、図２（ａ）の断面Ｃ−Ｃを示す。４２は第二の係合用突起４１の先端、４３は第一の係合用突起４１の根元を示す。第一の係合用突起の根元４３の方が、第一の係合用突起の先端４２よりも板厚が厚くなっている。また、４４は係合用突起４１と隣接していてかつ第二の係合用突起の根元４３よりも板厚が薄い平面部である。本図の状態において、係合用リブ１４と係合用突起４１の距離は離れており係合していない。また、平面部４４は係合用突起４１よりも厚さが薄い為平面部４４と係合用リブ１４の距離は離れており係合していない。
【００１７】
図３は図２（ａ）の状態から、蓋２１を図３に記す矢印方向にスライドした後の状態を示す図である。蓋２１の回転軸用突起２２を受ける窪み１５は、蓋２１が矢印方向にスライドする量以上の空間、すなわち第二の係合用突起４１が有する長さよりも長い空間を有する。
【００１８】
図３（ｂ）は図３（ａ）の断面Ｂ−Ｂを示す。蓋２１を図３（ａ）の矢印方向にスライドしたことで、係合用リブ１３と係合用突起３１の係合が外れる。
【００１９】
図３（ｃ）は図３（ａ）の断面Ｃ−Ｃを示す。本図において、第二の係合用突起の先端４２と第二の係合用突起の根元４３によって形成する傾斜面が係合用リブ１４と係合している。
【００２０】
図２の状態から、蓋２１を図３（ａ）に記す矢印方向にスライドすることで、第一の係合用リブ１３と第一の係合用突起３１の係合が外れるが、第二の係合用リブ１４と第二の係合用突起４１が係合している。そのため、蓋２１は閉じた状態を保っており、回転して開けることはできない。
【００２１】
図４は図３（ａ）の状態から、蓋２１を図４に記す矢印方向にさらにスライドした後の状態を示す斜視図である。
【００２２】
図４（ｂ）は図４（ａ）の断面Ｂ−Ｂを示す。本図の状態において、第一の係合用リブ１３と第一の係合用突起３１の距離は離れており、係合していない。
【００２３】
図４（ｃ）は図４（ａ）の断面Ｃ−Ｃを示す。本図の状態において、第二の係合用リブ１４と第二の係合用突起４１の係合が外れる。
【００２４】
この状態に至って、ようやく蓋２１と筐体１の係合がすべて外れ、蓋２１が回転自在になり、蓋２１を回転して開けることが可能となる。
【００２５】
このように、本考案において蓋２１を開けるためには、１段階のスライドにより第一の係合用リブ１３と第一の係合用突起３１による係合を外し、さらに２段階のスライドにより第二の係合用リブ１４と第二の係合用突起４１の係合を外した後に回転操作を行う事が必要となる。そのために、蓋を開ける意図を持たずに蓋を触ったとしても、開く可能性が低い多段スライド型蓋開け構造を提供する事が可能となっている。
【符号の説明】
【００２６】
１・・・筐体
１１・・・操作部
１２・・・筐体の蓋取付け部内にあるスイッチ
１３・・・第一の係合用リブ
１４・・・第二の係合用リブ
１５・・・回転軸を受ける窪み
２１・・・蓋
２２・・・回転軸用突起
３１・・・第一の係合用突起
３２・・・第一の係合用突起の先端
３３・・・第一の係合用突起の根元
４１・・・第二の係合用突起
４２・・・第二の係合用突起の先端
４３・・・第二の係合用突起の根元
４４・・・第二の係合用突起４１と隣接している平面部
【図１】
0003183498.tif 000003
【図２】
0003183498.tif 000004
【図３】
0003183498.tif 000005
【図４】
0003183498.tif 000006